(57)【要約】  飲料物質で充填されたカートリッジを保持するためのカートリッジホルダを有するカートリッジマウントを備える、飲料、特に、冷たい飲料を製造するための装置であって、カートリッジホルダは、受容開口部を備え、カートリッジホルダは、カートリッジに水を導入するための水供給部と、カートリッジに圧縮空気を導入するための圧縮空気供給部とを有し、カートリッジホルダは、装填位置と作業位置との間で移行可能であり、装填位置において、カートリッジを受容開口部に挿入可能であり、又は、受容開口部から取り外し可能であり、作業位置において、水及び圧縮空気をカートリッジに導入することによって、及び、水が飲料物質と相互作用することによって、飲料をカートリッジ内で製造可能であり、及びカートリッジの飲料出口から分配可能であり、カートリッジホルダは、第１保持要素と第２保持要素を有し、その間に、受容開口部が形成され、第１保持要素は、カートリッジホルダを装填位置から作業位置へ、又は、作業位置から装填位置へ移行するために、第２保持要素に対して移動可能である装置である。
2020525363.tif 000002
【特許請求の範囲】
【請求項１】
飲料物質で充填されたカートリッジ（３）を受け入れるためのカートリッジ受容部を有するカートリッジマウント（１）を有する、飲料、特に、冷たい飲料を製造するための装置であって、
前記カートリッジ受容部は、受容開口部（２）を備え、
前記カートリッジ受容部は、前記カートリッジ（３）に水を導入するための水供給部と前記カートリッジ（３）に圧縮空気を導入するための圧縮空気供給部とを有し、
前記カートリッジ受容部は、装填位置と作業位置との間で移行可能であり、前記装填位置において前記カートリッジ（３）を前記受容開口部（２）に挿入可能であり、又は、前記受容開口部（２）から回収可能であり、前記作業位置において水及び圧縮空気を前記カートリッジ（３）に導入することによって、及び、水が飲料物質と相互作用することによって、前記カートリッジ（３）内で飲料を製造可能であり、及び、前記カートリッジ（３）の飲料出口から排出可能である装置において、
前記カートリッジ受容部が、第１保持要素（１１）と第２保持要素（１２）とを有し、その間に、前記受容開口部（２）が形成され、
前記第１保持要素（１１）は、前記カートリッジ受容部を前記装填位置から前記作業位置へ、又は、前記作業位置から前記装填位置へ移行するために、前記第２保持要素（１２）に対して移動可能であるように構成されていることを特徴とする装置。
【請求項２】
前記第１周囲部分が、前記受容開口部（２）の円周に沿って、前記第１保持要素（１１）によって形成され、
前記第２周囲部分が、前記第２保持要素（１２）によって形成されていることを特徴とする、請求項１に記載の装置。
【請求項３】
前記第１保持要素（１１）が、変位方向（Ａ）に沿って前記第２保持要素（１２）に対して変位可能であるように構成され、
前記装填位置にある前記第１保持要素（１１）が、前記第２保持要素（１２）から前記変位方向（Ａ）に沿って離間され、
前記作業位置にある前記第１保持要素（１１）が、前記装填位置と比較して前記第２保持要素（１２）の方向に近づけられることを特徴とする、請求項１又は請求項２に記載の装置。
【請求項４】
前記装填位置の前記受容開口部（２）の断面が、前記作業位置よりも大きく、
前記受容開口部（２）が、前記装填位置で細長い穴を形成し、前記作業位置で円形の穴を形成することを特徴とする、請求項１〜請求項３のいずれか一項に記載の装置。
【請求項５】
前記第１保持要素（１１）が、前記第２保持要素（１２）の方向に開かれ、前記装填位置において前記カートリッジ（３）のカートリッジネック（３１）を挿入するＵ字形凸状部を有し、
前記第２保持要素（１２）が、前記第１保持要素（１１）の方向に開かれ、
前記カートリッジ受容部を前記装填位置から前記作業位置に移行する際に前記カートリッジネック（３１）が、押込み嵌めされるＵ字形凸状部を有していることを特徴とする、請求項１〜請求項４のいずれか一項に記載の装置。
【請求項６】
前記第１保持要素（１１）の前記Ｕ字形凸状部の深さが、前記第２保持要素（１２）の前記Ｕ字形凸状部の深さよりも大きいことを特徴とする、請求項５に記載の装置。
【請求項７】
前記第１保持要素（１１）の前記Ｕ字形凸状部及び前記第２保持要素（１２）の前記Ｕ字形凸状部が、前記作業位置の前記第１保持要素（１１）の前記Ｕ字形凸状部及び前記第２保持要素（１２）の前記Ｕ字形凸状部が共同して前記円形の受容開口部（２）を形成するような方法で構成されていることを特徴とする、請求項５又は請求項６に記載の装置。
【請求項８】
前記第１保持要素（１１）は、前記第２保持要素（１２）に対して回転軸（Ｂ）の周りで傾きの調整が可能であることを特徴とする、請求項１又は請求項２に記載の装置。
【請求項９】
前記作業位置のＵ字形凸状部が円形の受容開口部（２）を形成するような方法で前記第１保持要素（１１）及び前記第２保持要素（１２）がそれぞれ１つのＵ字形凸状部を有し、
前記装填位置の前記第１保持要素（１１）が、前記第２保持要素（１２）に対して下方に傾きを調整され、前記第２保持要素（１２）の前記Ｕ字形凸状部を露出することを特徴とする、請求項８に記載の装置。
【請求項１０】
前記カートリッジ受容部が、第１保持要素（１１）及び第２保持要素（１２）を有し、
前記第１保持要素（１１）が、前記受容開口部（２）を有し、
前記第１保持要素（１１）は、前記カートリッジ受容部を前記装填位置から前記作業位置に、又は、前記作業位置から前記装填位置に移行するために、前記第２保持要素（１２）に対して移動可能であるように構成されていることを特徴とする、請求項１に記載の装置。
【請求項１１】
前記第１保持要素（１１）が、リング状構成要素を備え、
前記第２保持要素（１２）が、前記リング状構成要素の方向に開いたＵ字形凸状部を有し、
前記装填位置の前記リング状構成要素が、前記第２保持要素（１２）から少なくとも部分的に離間され、
前記作業位置の前記リング状構造要素が、少なくとも部分的に変位方向（Ａ）に沿って前記Ｕ字形凸状部の中へ移動されることを特徴とする、請求項１０に記載の装置。
【請求項１２】
前記変位方向（Ａ）が、前記作業位置の前記カートリッジ（３）の長手方向軸に対して垂直であるように、及び／又は、前記受容開口部（２）の断面に平行であるように整列されることを特徴とする、請求項１〜請求項１１のいずれか一項に記載の装置。
【請求項１３】
前記第２保持要素（１２）が、さらなる受容開口部（２’）を有し、
前記第１保持要素（１１）及び前記第２保持要素（１２）が、前記受容開口部（２）と前記さらなる受容開口部（２’）が一致しかつ軸方向に沿って互いにオフセットされるように配置されるような方法で、互いに対して配置されていることを特徴とする、請求項１０に記載の装置。
【請求項１４】
前記軸方向の前記第１保持要素（１１）及び前記第２保持要素（１２）が、前記装填位置において相互に離間され、前記作業位置において前記装填位置と比較して互いに近づけられることを特徴とする、請求項１３に記載の装置。
【請求項１５】
前記第１保持要素（１１）が、リング状構成要素を備え、
前記第２保持要素（１２）が、前記リング状構成要素の方向に開いたＵ字形凸状部を有し、
前記第１保持要素（１１）が、前記第２保持要素（１２）に対して回転軸（Ｂ）の周りで傾きを調整することが可能であることを特徴とする、請求項１０に記載の装置。
【請求項１６】
前記装置が、前記カートリッジ受容部を前記装填位置から前記作業位置に、又は、前記作業位置から前記装填位置に移行するためのハンドレバー（４）を有し、
前記ハンドレバー（４）が、前記第１保持要素（１１）及び／又は前記第２保持要素（１２）に連結されていることを特徴とする、請求項１〜請求項１５のいずれか一項に記載の装置。
【請求項１７】
前記カートリッジ受容部が前記装填位置にある第１作動位置と前記カートリッジ受容部が前記作業位置にある第２作動位置との間で、前記ハンドレバー（４）が、旋回可能であり、
前記ハンドレバー（４）が、前記第１作動位置において前記カートリッジ受容部を少なくとも部分的に取り囲むハンドルを含むことを特徴とする、請求項１６に記載の装置。
【発明の詳細な説明】
【技術分野】
【０００１】
本発明は、飲料製造装置に基づく。
【発明の概要】
【発明が解決しようとする課題】
【０００２】
本発明の目的は、交換可能なカートリッジを使用して飲料を製造する装置を提供することであり、ここで、装置へのカートリッジの装填及び取り外しが、単純化され、従来技術から知られる一般的なタイプの装置と比べて向上した簡単な操作性をユーザに提供する。
【課題を解決するための手段】
【０００３】
本発明の目的は、飲料物質で充填されたカートリッジを受け入れるためのカートリッジ受容部を有するカートリッジマウントを有する、飲料、特に、冷たい飲料を製造するための装置によって達成され、カートリッジ受容部は、受容開口部を備え、カートリッジ受容部は、カートリッジに水を導入するための水供給部と、カートリッジに圧縮空気を導入するための圧縮空気供給部とを有し、カートリッジ受容部は、装填位置と作業位置との間で移行可能であり、装填位置において、カートリッジを受容開口部に挿入可能であり、又は受容開口部から回収可能であり、作業位置において、水及び圧縮空気をカートリッジに導入することによって、及び、水が飲料物質と相互作用することによって、飲料をカートリッジ内で製造可能であり、及び、カートリッジの飲料出口から排出可能であり、カートリッジ受容部は、第１保持要素と第２保持要素を有し、その間に、受容開口部が形成され、第１保持要素は、カートリッジ受容部を装填位置から作業位置へ、又は、作業位置から装填位置へ移行するために、第２保持要素に対して移動可能であるように構成される。
装填位置にある第１保持要素は、部分的に装置の外側にあるように配置される。
【０００４】
本発明による装置は、装置の外部からアクセス可能な受容開口部にカートリッジが受け入れられるという利点を有する。
ここで、受容開口部は、２つの別個の保持要素によって形成され、第１保持要素は、他方の保持要素に対して移動可能である。
このようにして、ユーザによるカートリッジの簡単な挿入が可能になるのと同時に、正しい向きでのカートリッジの確実な固定が作業位置で保証される。
カートリッジマウントは、操作が簡単であるのと同時に、可動部品がほとんどないのでメンテナンスが少ない。
加えて、カートリッジの挿入及び装填位置から作業位置への移行は、飲料調製の合計時間を有利に最小化するように、可動部分の短い経路で実行される。
【０００５】
本発明の説明は、本発明の他の主題にも、同様に適用され、逆もまた同様である。
【０００６】
本発明は、カートリッジを支持及び／又は案内するカートリッジマウントを有する装置に関する。
カートリッジは、飲料基体及び／又は食品基体が配置される空洞を有する。
前記基体は、液体であり、特に、濃縮物であり、飲料又は食品の製造のために溶媒、特に、水と混合され、その後、マウントの下に配置される装置の支持板の上に立てられる容器、特に、グラスに集められる。
飲料基体及び／又は食品基体は、カフェイン、二酸化炭素、果物及び／又は砂糖を含有する炭酸清涼飲料及びジュースなどのソフトドリンク、ビール（混合）飲料、又はその他のアルコール又はノンアルコール（混合）飲料用の液体プレミックス成分を含む。
【０００７】
カートリッジは、ボトル形状であるように、カートリッジネックを有する。
カートリッジは、開口部が下向きに、すなわち、重力方向に向けられた状態でカートリッジマウントに挿入される。
【０００８】
受容開口部の円周に沿って、第１周囲部分が、第１保持要素によって形成され、第２周囲部分が、第２保持要素によって形成される。
第１保持要素及び第２保持要素の周囲部分は、対称であるように、特に鏡面対称又は点対称であるように提供される。
これにより、受容開口部の単純な設計が、特に有利な方法で可能になる。
２つの周囲部分は、作業位置において、カートリッジをロック式に少なくとも部分的に取り囲むように互いに相互作用することが好ましい。
２つの周囲部分が提供されることにより、材料投入の少ない保持要素の簡単な構造が特に有利に可能になる。
【０００９】
さらなる実施形態によれば、第１保持要素は、変位方向に沿って第２保持要素に対して変位可能であるように構成され、ここで、装填位置にある第１保持要素は、第２保持要素から変位方向に沿って離間され、作業位置にある第１保持要素は、装填位置と比較して第２保持要素の方向に近づけられる。
作業位置にある第１保持要素が、第２保持要素と接触するように配置される。
作業位置にある第１保持要素及び第２保持要素は、カートリッジ受容部をロックするように形状合致式及び／又は圧力嵌め式に相互作用する。
変位方向が線形であるように提供されると、はるかにより好ましい。
したがって、単純な線形の動きにより、カートリッジ受容部を装填位置から作業位置へ、又はその逆に動かすことができる。
例えば、そのような線形運動は、引き出しのように提供され、ユーザにとって直観的である。
【００１０】
さらなる実施形態によれば、装填位置での受容開口部の断面が作業位置よりも大きいことが提供され、ここで、受容開口部は、装填位置で特に細長い穴を形成し、作業位置で円形の穴を形成する。
一般に、カートリッジは、回転対称であるように構成されているので、そのような本質的に円形又は楕円形の受容開口部は、有利であり、カートリッジを簡単かつ形状合致式に受け入れることが可能である。
さらに、カートリッジの向きは、円形開口部の場合には重要ではないので、装置の取り扱いは、特に有利な方法で単純化される。
すなわち、ユーザは、カートリッジを挿入するときに、カートリッジの中心軸に対するカートリッジの向きに関係なく、つまり、回転位置に関係なく、カートリッジが、第１保持要素に正しく挿入されていることだけ注意すればよい。
第１保持要素及び第２保持要素と相互作用するカートリッジ開口部は、円形であるように構成されている。
カートリッジとカートリッジ受容部の間の完全な形状合致式及び／又は圧力嵌め式の接続は、安定性を高め、操作上の信頼性を高める。
【００１１】
さらなる実施形態によれば、以下のことが提供される。
すなわち、第１保持要素は、第２保持要素の方向に開かれ、装填位置においてカートリッジのカートリッジネックを挿入することができるＵ字形の凸状部を有し、第２保持要素は、第１保持要素の方向に開かれ、カートリッジ受容部を装填位置から作業位置に移行する際に、カートリッジネックが押込み嵌めされるＵ字形の凸状部を有している。
特に、Ｕ字形は、実質的に半円形を意味する。
作業位置にある第１保持要素及び第２保持要素は、ロック式に相互作用する。
そのようなＵ字形の構成は、単純で安定した構造を特に有利に表す。
さらに、Ｕ字形の開口部へのカートリッジネックの挿入は、ユーザにとって簡単で直感的である。
装填位置から作業位置に移行するとき、ユーザ又は機構による追加のステップを必要とすることなく、カートリッジネックと第２保持要素のＵ字形凸状部との間の接続が自動的に確立される。
【００１２】
さらなる実施形態では、第１保持要素のＵ字形凸状部の深さは、第２保持要素のＵ字形凸状部の深さよりも大きい。
ここで、深さとは、変位の方向の、及び／又は、受容開口部の断面に平行な広がりである。
その結果、カートリッジを第１保持要素にしっかりと受け入れることが可能になる。
第１保持要素がより大きな深さを有するため、カートリッジがしっかりと保持され、その結果、カートリッジの不正確な位置決め、装置のブロッキング、及び／又は、最悪の場合、装置の損傷は、カートリッジ受容部が装填位置から作業位置へ移行するとき、防止される。
【００１３】
さらなる実施形態によれば、第１保持要素のＵ字形凸状部及び第２保持要素のＵ字形凸状部は、作業位置の第１保持要素のＵ字形凸状部及び第２保持要素のＵ字形凸状部が共同して円形の受容開口部を形成するような方法で構成される。
作業位置にあるカートリッジ受容部は、可逆的にロックされる。
円形のカートリッジネックを有するカートリッジの場合、このような円形の受容開口部は、最大支持面と最大の形状合致又は圧力嵌めとを可能にし、その結果、作業中の装置の安定性が高められる。
【００１４】
さらなる実施形態によれば、第１保持要素は、第２保持要素に対して回転軸の周りで傾きの調整が可能である。
第１保持要素は、装填位置でユーザの方に傾けられる。
これにより、単純で人間工学的な操作が、可能になる。
加えて、例えば、Ｕ字形凸状部の場合、第１保持要素の横方向の突起、すなわち、「Ｕ」の脚部が、より硬くより安定した中央部分と同じカートリッジの荷重を支える必要がないため、安定性が向上する。
【００１５】
作業位置のＵ字形凸状部が特に円形の受容開口部を形成するような方法で第１保持要素及び第２保持要素がそれぞれ１つのＵ字形凸状部を有し、装填位置の第１保持要素は第２保持要素に対して下方に傾きを調整され、第２保持要素のＵ字形凸状部を露出する。
この場合も、より簡単でより安定した装置が実現される。
【００１６】
さらなる実施形態によれば、カートリッジ受容部は、第１保持要素及び第２保持要素を有し、第１保持要素は、受容開口部を有し、第１保持要素は、カートリッジ受容部を装填位置から作業位置に、又は、作業位置から装填位置に移行するために、第２保持要素に対して移動可能であるように構成される。
第２保持要素は、作業位置で第１保持要素と形状合致式及び／又は圧力嵌め式に相互作用する間隙を有している。
これにより、装填位置で第１保持要素に挿入されたときに、カートリッジがカートリッジネックの全周に沿ってしっかりと保持されるため、装置の安定性がさらに向上する。
第２保持要素は、第１保持要素を作業位置で固定する。
【００１７】
さらなる実施形態によれば、第１保持要素は、リング状構成要素を備え、第２保持要素は、リング状構成要素の方向に開いたＵ字形凸状部を有し、装填位置のリング状構成要素は、第２保持要素から少なくとも部分的に離間され、作業位置のリング構造要素は、少なくとも部分的に変位方向に沿ってＵ字形凸状部の中へ移動される。
これにより、単純な構造の安定した装置が可能になる。
ここで、カートリッジは、装填位置でリング状構成要素に挿入され、装填位置から作業位置への移行が開始される。
【００１８】
さらなる実施形態によれば、変位方向は、作業位置のカートリッジの長手方向軸に対して垂直であるように、及び／又は、受容開口部の断面に平行であるように整列される。
このようにして、第１保持要素の安定した直観的な引き出しの動きが実現される。
【００１９】
さらなる実施形態によれば、第２保持要素が、さらなる受容開口部を有し、第１保持要素及び第２保持要素が、受容開口部とさらなる受容開口部が一致しかつ軸方向に沿って互いにオフセットされるように配置されるような方法で、互いに対して配置される。
受容開口部及び／又はさらなる受容開口部は、円形又は楕円形であるように設けられる。
そのような場合、２つの実質的に一致したリング要素が提供され、前記２つの実質的に一致したリング要素は、特に好ましくは、作業位置においてロック式に相互作用するように配置されるので、装置の安定性が、著しく増加する。
この場合、カートリッジは、カートリッジネックの円周に沿って、例えば、第１及び第２保持要素がＵ字形であるように構成される場合のように、１つだけではなく２つの要素で保持されるからである。
さらに、カートリッジの長手方向軸に平行であるように提供されるこのような軸方向の変位は、より安定しており、カートリッジの例えば滑りによる不正確なせみ位置決めのリスクが最小限に抑えられる。
【００２０】
さらなる実施形態によれば、軸方向の第１保持要素及び第２保持要素が装填位置において相互に離間され、作業位置において、装填位置と比較して互いに近づけられる。
垂直方向、したがって、軸方向の第１保持要素は、第２保持要素の上方に配置される。
このようにして、カートリッジマウントの安定したコンパクトな構造を、実現することができる。
【００２１】
さらなる実施形態によれば、第１保持要素が、リング状構成要素を含み、第２保持要素が、リング状構成要素の方向に開いたＵ字形凸状部を有し、第１保持要素は、第２保持要素に対して回転軸の周りで傾きを調整することが可能である。
リング状構成要素は、装填位置で第２保持要素に対して傾きを調整され、作業位置のリング構造要素の断面は、第２保持要素の主延在面に平行である。
これにより、カートリッジが、リング状構成要素によってカートリッジネックの全周で保持されると同時に、リング状構成要素の傾きにより、ユーザが、カートリッジを簡単に挿入できるため、単純な操作が可能になるのと同時に高い安定性が保証される。
【００２２】
さらなる実施形態によれば、装置は、カートリッジ受容部を装填位置から作業位置に、又は、作業位置から装填位置に移行するためのハンドレバーを有し、ハンドレバーは、第１保持要素及び／又は第２保持要素に連結される。
ハンドレバーは、カートリッジ受容部が作業位置で可逆的にロックされるように、機構と相互作用する。
これにより、カートリッジ受容部を位置間で移行することが、簡単な方法で可能になる。
レバーのおかげで、移行のためのユーザに必要とされる力に関する労力が少なくなる。
【００２３】
さらなる実施形態によれば、カートリッジ受容部が、装填位置にある第１作動位置と、カートリッジ受容部が、作業位置にある第２作動位置との間でハンドレバーが旋回可能であり、ハンドレバーは、第１作動位置において、カートリッジ受容部を少なくとも部分的に取り囲むハンドルを含む。
このようにして、装置の人間工学的な簡単な操作が有利に達成される。
加えて、ハンドルが、カートリッジ受容部を部分的に取り囲むので、さらなる安全性が実現される。
【００２４】
本発明を図１〜図８を用いて、以下で説明する。
これらの説明は、単なる例であり、本発明を制限するものではない。
説明は、本発明による装置に、同様に本発明による方法に適用される。
同一部品は、同じ参照番号で識別されている。
個々の図面には、左から右、上から下に番号が付けられている。
【図面の簡単な説明】
【００２５】
【図１】本発明の実施形態による、本発明による装置で使用されるようなカートリッジを示す。
【図２】装填位置から作業位置へ移行中の本発明の第１実施形態によるカートリッジマウントを示す。
【図３】装填位置から作業位置へ移行中の本発明の第２実施形態によるカートリッジマウントを示す。
【図４】装填位置から作業位置へ移行中の本発明の第３の実施形態によるカートリッジマウントを示す。
【図５】装填位置から作業位置へ移行中の本発明の第４の実施形態によるカートリッジマウントを示す。
【図６】装填位置から作業位置へ移行中の本発明の第５実施形態によるカートリッジマウントを示す。
【図７】装填位置から作業位置へ移行中の本発明の第６実施形態によるカートリッジマウントを示す。
【図８】装填位置から作業位置へ移行中の本発明の第７実施形態によるカートリッジマウントを示す。
【発明を実施するための形態】
【００２６】
本発明の実施形態による装置で使用されるようなカートリッジ３が、図１に示されている。
ここでは、カートリッジ３は、円筒形であるように構成され、及び、水用の供給部と、完成飲料用の出口とが設けられたカートリッジネック３１を一端に有するように構成されている。
ここで、このタイプのカートリッジ３は、他の任意の形状を有することもできる。
ここで、重要なのは、カートリッジ３を装置に挿入できること、及び、特に、カートリッジネック３１がしっかりと保持されるように装置のカートリッジマウント１と相互作用できることである。
カートリッジ３は、水との相互作用により、飲料を形成する飲料物質を含む。
【００２７】
装填位置から作業位置へ移行中の本発明の第１実施形態によるカートリッジマウント１が、図２ａ〜図２ｄに複数の中間ステップにおいて示されている。
ここに示されるカートリッジマウント１は、飲料調製装置の一部であるが、飲料調製装置は、明確にするために、ここでは示されていない。
ここでの飲料調製サイクルの開始が、図２ａに示されている。
ここでは、カートリッジ受容部は、半円形の間隙を有する第１保持要素１１を備え、第１保持要素１１は、第２保持要素１１から離間され、第２保持要素１１は、第１保持要素１１とともに円形の受容開口部２を形成し、カートリッジマウント１を装填位置に移行させる。
この目的のために、前記第１保持要素１１は、ここでは、直線的に提供される変位方向Ａに沿って変位する。
【００２８】
ここでは、カートリッジ３は、円錐台の形状で提供され、第１保持要素１１の間隙に挿入され、そこで、カートリッジ３は、その形状と重力により、形状合致式に保持される。
これは、図２ｂに示されている。
【００２９】
飲料を調製するために、カートリッジマウント１は、装填位置から作業位置に移動され、作業位置で、第１保持要素１１及び第２保持要素１２は、互いに接触し、したがって、円形の受容開口部２の形態を提供する。
その結果、第１保持要素１１及び第２保持要素１２は、相互作用すると、カートリッジ３を適所に保持又は固定する（円の）周辺部を含む。
【００３０】
この目的のために、図示の実施形態によれば、第２保持要素１２に取り付けられているが、同様に、第１保持要素１１に取り付けることもできるハンドレバー４は、ここで、垂直位置から水平位置に移行される。
第１保持要素１１は、対応する機構、例えば、歯車によって、ハンドレバー４の移動により、第２保持要素１２に近づけられる。
これは、図２ｃに示される。
【００３１】
最後に、作業位置が、図２ｄに示される。
カートリッジ３は、カートリッジ受容部によって保持され、カートリッジ受容部内で、カートリッジネック３１が、第１保持要素１１及び第２保持要素１２の間に挟まれる。
ハンドレバー４は、第１保持要素１１、第２保持要素１２の主延在面に平行になるように水平位置に置かれる。
【００３２】
カートリッジ受容部が誤って開くのを防ぐために、ハンドレバー４が作業位置においてカートリッジ受容部を可逆的にロックするような方法で、カートリッジマウント１を提供することができる。
これは、例えば、ナックル継手によって行うことができる。
カートリッジ受容部を作業位置から装填位置に再度移行するために、ユーザは、この場合、ハンドレバー４を水平位置から垂直位置に、初期抵抗に抗して移動する必要がある。
【００３３】
カートリッジ受容部は、水をカートリッジ３に導入するための水供給部（図示せず）と、圧縮空気をカートリッジ３に導入するための圧縮空気供給部とを有している。
ここでは、水供給部及び圧縮空気供給部は、例えば、第２保持要素１２上に配置することができ、及び／又は、それに接続することができる。
動作中、水が、カートリッジ３に導入され、水は、カートリッジ３内の飲料物質と相互作用して飲料を作り出す。
圧縮空気をカートリッジ３に導入することにより、飲料は、カートリッジ３から排出され、飲料は、装置の飲料出口を介して飲料容器、例えば、グラス又はコップに分配される。
【００３４】
飲料が調製された後、カートリッジ受容部は、作業位置から装填位置に移行され、このとき、空のカートリッジ３は、処分される。
これは、手動又は自動で行うことができる。
【００３５】
図３ａから図３ｄは、装填位置から作業位置への移行中の本発明の第２実施形態によるカートリッジマウント１を示す。
第２実施形態は、本明細書において、図１ａ〜図１ｄと併せて記載した第１実施形態に対応し、第１実施形態に関する説明が参照される。
【００３６】
相違点は、ハンドレバー４が、装填位置で水平位置をとり、カートリッジ受容部を装填位置から作業位置に移行するために垂直位置に移動され、そこで、ハンドレバー４は、カートリッジ３の長手方向軸と平行になるように整列されることである。
【００３７】
ここで、ハンドレバー４は、カートリッジ３を作業位置において、カートリッジマウント１から取り外すことができないように、少なくとも部分的にカートリッジ３の上方に配置される。
【００３８】
図４ａ〜図４ｄは、装填位置から作業位置へ移行中の本発明の第３実施形態によるカートリッジマウント１を示す。
図示のカートリッジマウント１の機能モードに関して、先の説明を参照されたい。
この第３実施形態と前述の実施形態との違いを、以下で説明する。
【００３９】
図示の第３実施形態によれば、第１保持要素１１は、リング構造要素の形態で提供される。
したがって、第１保持要素１１は、カートリッジネック３１を完全に取り囲み、それを固定する。
【００４０】
ここで、作業位置にあるリング構造要素は、第２保持要素１２のＵ字形の間隙にほぼ完全に配置される。
ここで、装填位置にあるリング構造要素は、線形変位方向Ａに沿って間隙から離間される。
ここでは、線形変位方向Ａは、上述のように、第２保持要素１２の主延在面と平行になるように設けられる。
【００４１】
ここでも、装填位置と作業位置の間の、又は、その逆の移動は、各々ハンドレバー４によって行われるが、ハンドレバー４は、ここでは、第１実施形態及び第２実施形態とは対照的に、第２保持要素１２の片側のみに配置される。
ここでは、ハンドレバー４は、ユーザがより快適にレバーを操作できるように、より広いグリップを有している。
【００４２】
第２実施形態のように、第３実施形態によるハンドレバー４は、作業位置において垂直に整列される。
【００４３】
カートリッジ３は、円筒形であるようにここで提供され、カートリッジネック３１は、より小さい直径を有している。
その結果、肩部が、例えば、カートリッジネック３１の上に形成され、肩部によって、カートリッジ３は、第１保持要素１１のリング構造要素に載ることができる。
【００４４】
装填位置から作業位置へ移行中の本発明の第４実施形態によるカートリッジマウント１が、図５ａ〜図５ｄに示されている。
図示のカートリッジマウント１の一般的機能モードに関して、先の説明が参照される。
この第４実施形態と前述の実施形態との差について、以下で説明する。
【００４５】
図示の実施形態によれば、第１保持要素１１と第２保持要素１２は、両方とも環状であるように構成され、第１保持要素１１は、受容開口部２を有し、第２保持要素１２は、さらなる受容開口部２’を有する。
ここで、装填位置にある第１保持要素１１、第２保持要素１２の両方は、互いに軸方向に離れており、すなわち、開口を通る中心軸に平行である。
ここで、第１保持要素１１及び第２保持要素１２は、同じ直径、特に内径を有することができるが、第１保持要素１１及び第２保持要素１２は、ここに示されるように、異なる直径を有することもできる。
【００４６】
しかしながら、この実施形態によれば、いずれの場合にも、第１保持要素１１及び第２保持要素１２は、互いに一致するように配置されることが提供される。
これは、受容開口部２、２’が円形であるように提供されている場合、両方の第１保持要素１１、第２保持要素１２の中心軸が同一であることを意味する。
【００４７】
装填位置で、カートリッジ３は、第１保持要素１１に軸方向に挿入される。
ここで、作業位置への移行は、例えば、第１保持要素１１のリム形フランジに対する圧力によって行われる。
対応する機構及び／又はハンドレバーが、ここでも使用できる。
【００４８】
作業位置で、第１保持要素１１と第２保持要素１２は、互いに近づけられる。
水供給部及び圧縮空気供給部が、流体的にカートリッジ３の供給部に接続され、及び／又は、飲料出口が流体的にカートリッジ３の出口に接続されるという事実によって作業位置を定義できる。
【００４９】
図６ａから図６ｄは、装填位置から作業位置へ移行中の本発明の第５実施形態によるカートリッジマウント１を示している。
ここでも、第１実施形態及び第２実施形態に関連する説明が参照される。
【００５０】
ここでも、装填位置と作業位置との間の移行が、変位方向Ａに沿った線形の並進によって行われる。
ここで、第１保持要素１１及び第２保持要素１２は、互いに部分的に変位可能であることができるように配置される。
装填位置において第１保持要素１１と第２保持要素１２によって形成された受容開口部２は、カートリッジ３が挿入される長穴の形状を有している。
【００５１】
その後、第１保持要素１１は、作業位置にある受容開口部が円形の形状を有するまで、第２保持要素１２の方向に変位される。
かくして、カートリッジは、意図しない動きに対して形状合致式及び／又は圧力嵌め式に固定される。
【００５２】
装填位置と作業位置との間のカートリッジ受容部の移行が、ここで起こり、この際、ユーザは、引き出しのように第１保持要素１１を直接変位する。
しかしながら、代替的に又は追加的に、移動を促進するためにハンドレバー４が設けられること、及び／又は、ユーザがより良いグリップを得ることができるように、第１保持要素が、例えば、間隙又は凹状グリップの形態のグリップを有することも考えられる。
【００５３】
図７ａから図７ｄは、装填位置から作業位置へ移行中の本発明の第６実施形態によるカートリッジマウント１を示す。
装置の一般的な機能モードに関して、上記が参照される。
この場合の第１保持要素１１は、円錐台状の設計を有し、第２保持要素１２に背く第１保持要素１１の側に配置されたハンドレバー４を有している。
【００５４】
ここで、第１保持要素は、回転軸Ｂを介して第２保持要素１２に接続され、第２保持要素１２に対して傾きを調整できるように提供される。
これは、図７ｂに示される。
図示の実施形態によれば、第１保持要素１１は、ここでは、第２保持要素１２の間隙に部分的に配置され、前記間隙は、第１保持要素１１の形状に対応する形状を有している。
【００５５】
カートリッジ受容部を装填位置に移行するために、ユーザは、ハンドレバー４を握り、第１保持要素１１の傾きを調整し、第１保持要素１１は、第２保持要素１２の主延在面に対して角度をなすように配置され、水平に対して、例えば、３０°〜６０°の角度で、特に、４５°の角度で傾けられる。
【００５６】
カートリッジ３、好ましくは、第１保持要素１１の内面に適合された形状を有するそのカートリッジネック３１は、第１保持要素１１に挿入され、カートリッジ受容部は、第１保持要素１１の傾斜を調整することによって作業位置へ移行される。
【００５７】
装填位置における第１保持要素１１の傾けられた配置のために、ユーザは、カートリッジ３を装置に快適に挿入することが可能であり、及び、第１保持要素１１は、ハンドレバー４及び回転軸Ｂ周りの傾き調整により、簡単な方法で作業位置へ移行されることが可能である。
【００５８】
最後に、図８ａ〜図８ｄは、装填位置から作業位置へ移行する間の本発明の第７実施形態によるカートリッジマウント１を示している。
第７実施形態は、第１実施形態又は第２実施形態及び第６実施形態と類似しているため、それらの各説明が原則的に参照される。
【００５９】
第６実施形態と同様に、第１保持要素１１も、同様に、第２保持要素１２に対して回転軸Ｂの周りで傾き調整できるように配置される。
しかしながら、第１保持要素１１及び第２保持要素１２は、ここでは、第１実施形態と同様に、それぞれ半円形又はＵ字形の間隙を有し、その結果、円形の受容開口部２が作業位置において形成される。
【００６０】
装填位置にある第１保持要素１１は、第２保持要素１２に対して９０°の角度で旋回する。
当業者は、カートリッジ３をカートリッジマウント１に挿入できる限り、多くのさらなる角度も可能であることを理解する。
【００６１】
ここで、カートリッジネック３は、部分的に取り囲むカラーを有し、カラーは、第２保持要素１２の対応する形状の受容チャネルと形状合致式及び／又は圧力嵌め式に相互作用するように提供される。
その結果、カートリッジ３は、カラーがチャネル又は溝に係合するように、第２保持要素１２の間隙に横方向に挿入される。
【００６２】
カートリッジ受容部を作業位置に移行するために、第１保持要素１１を、第１保持要素１１と一体のハンドレバー４によって上方に旋回する。
前記第１保持要素１１が、第２保持要素１２と一緒に、カートリッジ３が保持される連続面、又は、円形受容開口部２を形成するまで旋回する。
カートリッジマウント１は、作業位置における第１保持要素１１の意図しない旋回を防止するようにロック機構を備えている。
【００６３】
飲料が調製された後、第１保持要素１１は、任意選択的にロック機構を解除した後、再び下方へ旋回され、カートリッジ３は、カートリッジ受容部の線形の並進によって回収され、その後、処分される。
【符号の説明】
【００６４】
１  ・・・カートリッジマウント
２  ・・・受容開口部
２’ ・・・さらなる受容開口部
３  ・・・カートリッジ
４  ・・・ハンドレバー
１１  ・・・第１保持要素
１２  ・・・第２保持要素
３１  ・・・カートリッジネック
Ａ  ・・・変位方向
Ｂ  ・・・回転軸
【図１】
2020525363.tif 000003
【図２ａ）−ｄ）】
2020525363.tif 000004
【図３ａ）−ｄ）】
2020525363.tif 000005
【図４ａ）−ｄ）】
2020525363.tif 000006
【図５ａ）−ｅ）】
2020525363.tif 000007
【図６ａ）−ｄ）】
2020525363.tif 000008
【図７ａ）−ｄ）】
2020525363.tif 000009
【図８ａ）−ｄ）】
2020525363.tif 000010
【手続補正書】
【提出日】令和1年6月12日(2019.6.12)
【手続補正１】
【補正対象書類名】明細書
【補正対象項目名】全文
【補正方法】変更
【補正の内容】
【発明の詳細な説明】
【技術分野】
【０００１】
本発明は飲料製造装置に基づく。
【発明の概要】
【発明が解決しようとする課題】
【０００２】
本発明の目的は、交換可能なカートリッジを使用して飲料を製造する装置を提供することであり、ここで、装置へのカートリッジの装填及び取り外しが、単純化され、従来技術の装置と比べて簡単な操作性をユーザに提供する。
【課題を解決するための手段】
【０００３】
カートリッジによって飲料を製造するための装置は、米国特許出願公開第２００４／１９１３７２Ａ１号明細書から知られている。
この明細書は、コーヒー顆粒が含まれたカートリッジによってコーヒー飲料を製造可能であるコーヒーマシンを開示する。
このため、カートリッジは、ユーザによって、スイング式に開ける製造チャンバに手動で入れられる。
カートリッジによって飲料を製造するためのさらなる装置は、米国特許出願公開第２０１６／２７２４１４Ａ１号明細書、米国特許出願公開第２０１６／０６８３３４Ａ１号明細書、米国特許出願公開第２０１５／３３５１９７Ａ１号明細書および米国特許出願公開第２０１１／２１０１４０Ａ１号明細書から知られている。
【０００４】
本発明の目的は、特許請求項１で特許請求されたような装置によって達成される。
【０００５】
本発明の装置は、装置の外部からアクセス可能な受容開口部にカートリッジが受け入れられるという利点を有している。
ここで、受容開口部は、２つの別個の保持要素によって形成され、第１保持要素は、他方の保持要素に対して移動可能である。
このようにして、ユーザによるカートリッジの簡単な挿入が可能になり、正しい向きでのカートリッジの確実な固定が、作業位置で保証される。
カートリッジマウントは、操作が簡単であるのと同時に、可動部品がほとんどないのでメンテナンスが少ない。
加えて、カートリッジの挿入及び装填位置から作業位置への移行は、飲料調製の合計時間を最小化するように、可動部分の短い経路で実行される。
【０００６】
本発明の説明は、本発明の他の主題にも、同様に適用され、逆もまた同様である。
【０００７】
本発明は、カートリッジを支持及び／又は案内するカートリッジマウントを有する装置に関する。
カートリッジは、飲料基体及び／又は食品基体が配置される空洞を有している。
前記基体は、液体であり、特に、濃縮物であり、飲料又は食品の製造のために溶媒、特に、水と混合され、その後、マウントの下に配置される装置の支持板の上に立てられる容器、特に、グラスに集められる。
飲料基体及び／又は食品基体は、カフェイン、二酸化炭素、果物及び／又は砂糖を含有する炭酸清涼飲料及びジュースなどのソフトドリンク、ビール（混合）飲料、又はその他のアルコール又はノンアルコール（混合）飲料用の液体プレミックス成分を含む。
【０００８】
カートリッジは、ボトル形状であるように、カートリッジネックを有する。
カートリッジは、開口部が下向きに、すなわち、重力方向に向けられた状態でカートリッジマウントに挿入される。
【０００９】
本発明によれば、カートリッジ受容部は、第１保持要素及び第２保持要素を有し、第１保持要素は、受容開口部を有し、第１保持要素は、カートリッジ受容部を装填位置から作業位置に、又は、作業位置から装填位置に移行するために、第２保持要素に対して移動可能であるように構成される。
第２保持要素は、作業位置で第１保持要素と形状合致式及び／又は圧力嵌め式に相互作用する間隙を有する。
これにより、装填位置で第１保持要素に挿入されたときにカートリッジがカートリッジネックの全周に沿って保持されるため、装置の安定性が向上する。
ここで、第２保持要素は、第１保持要素を作業位置で固定する。
【００１０】
本発明によれば、第２保持要素が、さらなる受容開口部を有し、第１保持要素及び第２保持要素が、受容開口部とさらなる受容開口部が一致しかつ軸方向に沿って互いにオフセットされるように配置されるような方法で、互いに対して配置されることが提供される。
受容開口部及び／又はさらなる受容開口部は、円形又は楕円形であるように設けられている。
そのような場合、２つの実質的に一致したリング要素が提供され、前記２つの実質的に一致したリング要素は、作業位置においてロック式に相互作用するように配置されるので、装置の安定性が著しく増加する。
この場合、カートリッジは、カートリッジネックの円周に沿って、例えば、第１保持要素及び第２保持要素がＵ字形であるように構成される場合のように、１つだけではなく２つの要素で保持されるからである。
さらに、カートリッジの長手方向軸に平行であるように提供されるこのような軸方向の変位は、より安定しており、カートリッジの、例えば、滑りによる不正確な位置決めのリスクが最小限に抑えられる。
【００１１】
本発明によれば、軸方向の第１保持要素及び第２保持要素が装填位置において相互に離間され、作業位置において装填位置と比較して互いに近づけられる。
垂直方向、したがって、軸方向の第１保持要素は、第２保持要素の上方に配置される。
このようにして、カートリッジマウントの安定したコンパクトな構造を実現することができる。
【００１２】
さらなる実施形態によれば、第１保持要素が、リング状構成要素を含み、第２保持要素が、リング状構成要素の方向に開いたＵ字形凸状部を有し、第１保持要素は、第２保持要素に対して回転軸の周りで傾きを調整することが可能である。
リング状構成要素は、装填位置で第２保持要素に対して傾きを調整され、作業位置のリング構造要素の断面は、第２保持要素の主延在面に平行である。
これにより、カートリッジが、リング状構成要素によってカートリッジネックの全周で保持されると同時に、リング状構成要素の傾きにより、ユーザが、カートリッジを簡単に挿入できるため、単純な操作が可能になるのと同時に高い安定性が保証される。
【００１３】
さらなる実施形態によれば、装置は、カートリッジ受容部を装填位置から作業位置に、又は、作業位置から装填位置に移行するためのハンドレバーを有し、ハンドレバーは、第１保持要素及び／又は第２保持要素に連結される。
ハンドレバーは、カートリッジ受容部が作業位置で可逆的にロックされるように、機構と相互作用する。
これにより、カートリッジ受容部を位置間で移行することが、簡単な方法で可能になる。
レバーのおかげで、移行のためのユーザに必要とされる力に関する労力が少なくなる。
【００１４】
さらなる実施形態によれば、カートリッジ受容部が、装填位置にある第１作動位置と、カートリッジ受容部が、作業位置にある第２作動位置との間でハンドレバーが旋回可能であり、ハンドレバーは、第１作動位置において、カートリッジ受容部を少なくとも部分的に取り囲むハンドルを含む。
このようにして、装置の人間工学的な簡単な操作が有利に達成される。
加えて、ハンドルが、カートリッジ受容部を部分的に取り囲むので、さらなる安全性が実現される。
【００１５】
本発明を図１〜図８を用いて、以下で説明する。
これらの説明は、単なる例であり、本発明を制限するものではない。
説明は、本発明による装置に、同様に本発明による方法に適用される。
同一部品は、同じ参照番号で識別されている。
個々の図面には、左から右、上から下に番号が付けられている。
【図面の簡単な説明】
【００１６】
【図１】本発明の実施形態による装置で使用されるようなカートリッジを示す。
【図２】本発明によらない、装填位置から作業位置へ移行中の第１実施形態のカートリッジマウントを示す。
【図３】本発明によらない、装填位置から作業位置へ移行中の第２実施形態のカートリッジマウントを示す。
【図４】本発明によらない、装填位置から作業位置へ移行中の第３実施形態のカートリッジマウントを示す。
【図５】装填位置から作業位置へ移行中の第４の実施形態による本発明のカートリッジマウントを示す。
【図６】本発明によらない、装填位置から作業位置へ移行中の本発明の第５実施形態によらないカートリッジマウントを示す。
【図７】本発明によらない、装填位置から作業位置へ移行中の第６実施形態のカートリッジマウントを示す。
【図８】本発明によらない、装填位置から作業位置へ移行中の第７実施形態のカートリッジマウントを示す。
【発明を実施するための形態】
【００１７】
本発明の実施形態による装置で使用されるようなカートリッジ３が、図１に示されている。
ここでは、カートリッジ３は、円筒形に構成され、及び、水供給部と完成飲料用出口とが設けられたカートリッジネック３１を一端に有するように構成されている。
ここで、このタイプのカートリッジ３は、他の任意の形状を有することもできる。
ここで、重要なのは、カートリッジ３を装置に挿入できること、及び、特に、カートリッジネック３１がしっかりと保持されるように装置のカートリッジマウント１と相互作用できることである。
カートリッジ３は、水との相互作用により、飲料を形成する飲料物質を含む。
【００１８】
本発明によらない、装填位置から作業位置へ移行中の第１実施形態のカートリッジマウント１が、図２ａ〜図２ｄに複数の中間ステップにおいて示されている。
ここに示されるカートリッジマウント１は、飲料調製装置の一部であるが、飲料調製装置は、明確にするために、ここでは示されていない。
ここでの飲料調製サイクルの開始が、図２ａに示されている。
ここでは、カートリッジ受容部は、半円形の間隙を有する第１保持要素１１を備え、第１保持要素１１は、第２保持要素１２から離間され、第２保持要素１２は、第１保持要素１１とともに円形の受容開口部２を形成し、カートリッジマウント１を装填位置に移行させる。
この目的のために、前記第１保持要素１１は、ここでは、直線的に提供される変位方向Ａに沿って変位する。
【００１９】
ここでは、カートリッジ３は、円錐台の形状で提供され、第１保持要素１１の間隙に挿入され、そこで、カートリッジ３は、その形状と重力により、形状合致式に保持される。
これは、図２ｂに示されている。
【００２０】
飲料を調製するために、カートリッジマウント１は、装填位置から作業位置に移動され、作業位置で、第１保持要素１１及び第２保持要素１２は、互いに接触し、円形の受容開口部２の形態を提供する。
その結果、第１保持要素１１及び第２保持要素１２は、相互作用すると、カートリッジ３を適所に保持又は固定する（円の）周辺部を含む。
【００２１】
この目的のために、図示の実施形態によれば、第２保持要素１２に取り付けられているが、同様に、第１保持要素１１に取り付けることもできるハンドレバー４は、ここで、垂直位置から水平位置に移行される。
第１保持要素１１は、対応する機構、例えば、歯車によって、ハンドレバー４の移動により、第２保持要素１２に近づけられる。
これは、図２ｃに示される。
【００２２】
最後に、作業位置が、図２ｄに示される。
カートリッジ３は、カートリッジ受容部によって保持され、カートリッジ受容部内で、カートリッジネック３１が、第１保持要素１１及び第２保持要素１２の間に挟まれる。
ハンドレバー４は、第１保持要素１１、第２保持要素１２の主延在面に平行になるように水平位置に置かれる。
【００２３】
カートリッジ受容部が誤って開くのを防ぐために、ハンドレバー４が作業位置においてカートリッジ受容部を可逆的にロックするような方法で、カートリッジマウント１を提供することができる。
これは、例えば、ナックル継手によって行うことができる。
カートリッジ受容部を作業位置から装填位置に再度移行するために、ユーザは、この場合、ハンドレバー４を水平位置から垂直位置に、初期抵抗に抗して移動する必要がある。
【００２４】
カートリッジ受容部は、水をカートリッジ３に導入するための水供給部（図示せず）と、圧縮空気をカートリッジ３に導入するための圧縮空気供給部とを有している。
ここでは、水供給部及び圧縮空気供給部は、例えば、第２保持要素１２上に配置することができ、それに接続することができる。
動作中、水が、カートリッジ３に導入され、水は、カートリッジ３内の飲料物質と相互作用して飲料を作り出す。
圧縮空気をカートリッジ３に導入することにより、飲料は、カートリッジ３から排出され、飲料は、装置の飲料出口を介して飲料容器、例えば、グラス又はコップに分配される。
【００２５】
飲料が調製された後、カートリッジ受容部は、作業位置から装填位置に移行され、このとき、空のカートリッジ３は、処分される。
これは、手動又は自動で行うことができる。
【００２６】
図３ａから図３ｄは、本発明によらない、装填位置から作業位置へ移行中の第２実施形態のカートリッジマウント１を示す。
第２実施形態は、本明細書において、図１ａ〜図１ｄと併せて記載した第１実施形態に対応し、第１実施形態に関する説明が参照される。
【００２７】
相違点は、ハンドレバー４が、装填位置で水平位置をとり、カートリッジ受容部を装填位置から作業位置に移行するために垂直位置に移動され、そこで、ハンドレバー４は、カートリッジ３の長手方向軸と平行になるように整列されることである。
【００２８】
ここで、ハンドレバー４は、カートリッジ３を作業位置において、カートリッジマウント１から取り外すことができないように、少なくとも部分的にカートリッジ３の上方に配置される。
【００２９】
図４ａ〜図４ｄは、本発明によらない、装填位置から作業位置へ移行中の第３実施形態のカートリッジマウント１を示す。
図示のカートリッジマウント１の機能モードに関して、先の説明を参照されたい。
この第３実施形態と前述の実施形態との違いを、以下で説明する。
【００３０】
図示の第３実施形態によれば、第１保持要素１１は、リング構造要素の形態で提供される。
したがって、第１保持要素１１は、カートリッジネック３１を完全に取り囲み、それを固定する。
【００３１】
ここで、作業位置にあるリング構造要素は、第２保持要素１２のＵ字形の間隙にほぼ完全に配置される。
ここで、装填位置にあるリング構造要素は、線形変位方向Ａに沿って間隙から離間される。
ここでは、線形変位方向Ａは、上述のように、第２保持要素１２の主延在面と平行になるように設けられる。
【００３２】
ここでも、装填位置と作業位置の間の、又は、その逆の移動は、各々ハンドレバー４によって行われるが、ハンドレバー４は、ここでは、第１実施形態及び第２実施形態とは対照的に、第２保持要素１２の片側のみに配置される。
ここでは、ハンドレバー４は、ユーザがより快適にレバーを操作できるように、より広いグリップを有している。
【００３３】
第２実施形態のように、第３実施形態によるハンドレバー４は、作業位置において垂直に整列される。
【００３４】
カートリッジ３は、円筒形であって、カートリッジネック３１は、より小さい直径を有している。
その結果、肩部が、例えば、カートリッジネック３１の上に形成され、肩部によって、カートリッジ３は、第１保持要素１１のリング構造要素に載ることができる。
【００３５】
装填位置から作業位置へ移行中の第４実施形態による本発明のカートリッジマウント１が、図５ａ〜図５ｄに示されている。
図示のカートリッジマウント１の一般的機能モードに関して、先の説明が参照される。
この第４実施形態と前述の実施形態との差について、以下で説明する。
【００３６】
図示の第４実施形態によれば、第１保持要素１１と第２保持要素１２は、両方とも環状に構成され、第１保持要素１１は、受容開口部２を有し、第２保持要素１２は、さらなる受容開口部２’を有している。
ここで、装填位置にある第１保持要素１１、第２保持要素１２の両方は、互いに軸方向に離れており、すなわち、開口を通る中心軸に平行である。
ここで、第１保持要素１１及び第２保持要素１２は、同じ直径、特に、内径を有するが、第１保持要素１１及び第２保持要素１２は、ここに示されるように、異なる直径を有することもできる。
【００３７】
しかしながら、この第４実施形態によれば、いずれの場合にも、第１保持要素１１及び第２保持要素１２は、互いに一致するように配置される。
これは、受容開口部２、さらなる受容開口部２’が円形である場合、両方の第１保持要素１１、第２保持要素１２の中心軸が同一であることを意味する。
【００３８】
装填位置で、カートリッジ３は、第１保持要素１１に軸方向に挿入される。
ここで、作業位置への移行は、例えば、第１保持要素１１のリム形フランジに対する圧力によって行われる。
対応する機構及び／又はハンドレバーが、ここでも使用できる。
【００３９】
作業位置で、第１保持要素１１と第２保持要素１２は、互いに近づけられる。
水供給部及び圧縮空気供給部が、流体的にカートリッジ３の供給部に接続され、及び／又は、飲料出口が流体的にカートリッジ３の出口に接続されるという事実によって作業位置を定義できる。
【００４０】
図６ａから図６ｄは、本発明によらない、装填位置から作業位置へ移行中の第５実施形態のカートリッジマウント１を示している。
ここでも、第１実施形態及び第２実施形態に関連する説明が参照される。
【００４１】
ここでも、装填位置と作業位置との間の移行が、変位方向Ａに沿った線形の並進によって行われる。
ここで、第１保持要素１１及び第２保持要素１２は、互いに部分的に変位可能であることができるように配置される。
装填位置において第１保持要素１１と第２保持要素１２によって形成された受容開口部２は、カートリッジ３が挿入される長穴の形状を有している。
【００４２】
その後、第１保持要素１１は、作業位置にある受容開口部が円形の形状を有するまで、第２保持要素１２の方向に変位される。
かくして、カートリッジは、意図しない動きに対して形状合致式及び／又は圧力嵌め式に固定される。
【００４３】
装填位置と作業位置との間のカートリッジ受容部の移行が、ここで起こり、この際、ユーザは、引き出しのように第１保持要素１１を直接変位する。
しかしながら、移動を促進するためにハンドレバー４が設けられること、及び／又は、ユーザがより良いグリップを得ることができるように、第１保持要素が、例えば、間隙又は凹状グリップの形態のグリップを有している。
【００４４】
図７ａから図７ｄは、本発明によらない、装填位置から作業位置へ移行中の第６実施形態のカートリッジマウント１を示す。
装置の一般的な機能モードに関して、上記が参照される。
この場合の第１保持要素１１は、円錐台状の設計を有し、第２保持要素１２に背く第１保持要素１１の側に配置されたハンドレバー４を有している。
【００４５】
ここで、第１保持要素１１は、回転軸Ｂを介して第２保持要素１２に接続され、第２保持要素１２に対して傾きを調整できる。
これは、図７ｂに示される。
図示の第６実施形態によれば、第１保持要素１１は、第２保持要素１２の間隙に部分的に配置され、前記間隙は、第１保持要素１１の形状に対応する形状を有している。
【００４６】
カートリッジ受容部を装填位置に移行するために、ユーザは、ハンドレバー４を握り、第１保持要素１１の傾きを調整し、第１保持要素１１は、第２保持要素１２の主延在面に対して角度をなすように配置され、水平に対して、例えば、３０°〜６０°の角度で、特に、４５°の角度で傾けられる。
【００４７】
カートリッジ３、好ましくは、第１保持要素１１の内面に適合された形状を有するそのカートリッジネック３１は、第１保持要素１１に挿入され、カートリッジ受容部は、第１保持要素１１の傾斜を調整することによって作業位置へ移行される。
【００４８】
装填位置における第１保持要素１１の傾けられた配置のために、ユーザは、カートリッジ３を装置に快適に挿入することが可能であり、及び、第１保持要素１１は、ハンドレバー４及び回転軸Ｂ周りの傾き調整により、簡単な方法で作業位置へ移行されることが可能である。
【００４９】
最後に、図８ａ〜図８ｄは、本発明によらない、装填位置から作業位置へ移行中の第７実施形態のカートリッジマウント１を示している。
第７実施形態は、第１実施形態又は第２実施形態及び第６実施形態と類似しているため、それらの各説明が原則的に参照される。
【００５０】
第６実施形態と同様に、第１保持要素１１も、同様に、第２保持要素１２に対して回転軸Ｂの周りで傾き調整できるように配置される。
しかしながら、第１保持要素１１及び第２保持要素１２は、ここでは、第１実施形態と同様に、それぞれ半円形又はＵ字形の間隙を有し、その結果、円形の受容開口部２が作業位置において形成される。
【００５１】
装填位置にある第１保持要素１１は、第２保持要素１２に対して９０°の角度で旋回する。
カートリッジ３をカートリッジマウント１に挿入できる限り、多くのさらなる角度も可能である。
【００５２】
ここで、カートリッジネック３１は、部分的に取り囲むカラーを有し、カラーは、第２保持要素１２の対応する形状の受容チャネルと形状合致式及び／又は圧力嵌め式に相互作用するように提供される。
その結果、カートリッジ３は、カラーがチャネル又は溝に係合するように、第２保持要素１２の間隙に横方向に挿入される。
【００５３】
カートリッジ受容部を作業位置に移行するために、第１保持要素１１を、第１保持要素１１と一体のハンドレバー４によって上方に旋回する。
前記第１保持要素１１が、第２保持要素１２と一緒に、カートリッジ３が保持される連続面、又は、円形の受容開口部２を形成するまで旋回する。
カートリッジマウント１は、作業位置における第１保持要素１１の意図しない旋回を防止するようにロック機構を備えている。
【００５４】
飲料が調製された後、第１保持要素１１は、任意選択的にロック機構を解除した後、再び下方へ旋回され、カートリッジ３は、カートリッジ受容部の線形の並進によって回収され、その後、処分される。
【符号の説明】
【００５５】
１  ・・・カートリッジマウント
２  ・・・受容開口部
２’ ・・・さらなる受容開口部
３  ・・・カートリッジ
４  ・・・ハンドレバー
１１  ・・・第１保持要素
１２  ・・・第２保持要素
３１  ・・・カートリッジネック
Ａ  ・・・変位方向
Ｂ  ・・・回転軸
【手続補正２】
【補正対象書類名】特許請求の範囲
【補正対象項目名】全文
【補正方法】変更
【補正の内容】
【特許請求の範囲】
【請求項１】
飲料物質で充填されたカートリッジ（３）を受け入れるためのカートリッジ受容部を有するカートリッジマウント（１）を有する、飲料、特に、冷たい飲料を製造するための装置であって、
前記カートリッジ受容部が、受容開口部（２）を備え、
前記カートリッジ受容部が、前記カートリッジ（３）に水を導入するための水供給部と前記カートリッジ（３）に圧縮空気を導入するための圧縮空気供給部とを有し、
前記カートリッジ受容部が、装填位置と作業位置との間で移行可能であり、前記装填位置において前記カートリッジ（３）を前記受容開口部（２）に挿入可能であり、又は、前記受容開口部（２）から回収可能であり、前記作業位置において水及び圧縮空気を前記カートリッジ（３）に導入することによって、及び、水が飲料物質と相互作用することによって、前記カートリッジ（３）内で飲料を製造可能であり、及び、前記カートリッジ（３）の飲料出口から排出可能であり、
前記カートリッジ受容部が、第１保持要素（１１）及び第２保持要素（１２）を有し、
前記第１保持要素（１１）が、前記受容開口部（２）を有し、
前記第１保持要素（１１）が、前記カートリッジ受容部を前記装填位置から前記作業位置に、又は、前記作業位置から前記装填位置に移行するために、前記第２保持要素（１２）に対して移動可能に構成され、
前記第２保持要素（１２）が、さらなる受容開口部（２’）を有し、
前記第１保持要素（１１）及び前記第２保持要素（１２）が、前記受容開口部（２）と前記さらなる受容開口部（２’）が一致しかつ軸方向に沿って互いにオフセットされるように配置されるような方法で、互いに対して配置され、
前記軸方向の前記第１保持要素（１１）及び前記第２保持要素（１２）が、前記装填位置において相互に離間され、前記作業位置において前記装填位置と比較して互いに近づけられることを特徴とする装置。
【請求項２】
前記装置が、前記カートリッジ受容部を前記装填位置から前記作業位置に、又は、前記作業位置から前記装填位置に移行するためのハンドレバー（４）を有し、
前記ハンドレバー（４）が、前記第１保持要素（１１）及び／又は前記第２保持要素（１２）に連結されていることを特徴とする、請求項１に記載の装置。
【請求項３】
前記カートリッジ受容部が前記装填位置にある第１作動位置と前記カートリッジ受容部が前記作業位置にある第２作動位置との間で、前記ハンドレバー（４）が、旋回可能であり、
前記ハンドレバー（４）が、前記第１作動位置において前記カートリッジ受容部を少なくとも部分的に取り囲むハンドルを含むことを特徴とする、請求項２に記載の装置。
【国際調査報告】
2020525363.tif 000011
2020525363.tif 000012
2020525363.tif 000013
2020525363.tif 000014
2020525363.tif 000015
2020525363.tif 000016